Podtech/llm-jp-corpus-v4-ja_patent huggingface dataset:
(57)【要約】【課題】従来の電源回路は、電源と電気電子回路との間で突入電流防止回路がＤＣ／ＤＣコンバータに直列に接続されているので、前記突入電流防止回路の作用により、電気電子回路に供給する電力の立ち上がり特性が悪く、ＦＰＧＡ等の電気電子回路が正常に起動しないことがある。【解決手段】本発明による電源回路は、突入電流防止回路４をＤＣ／ＤＣコンバータ３に直列に接続せずに並列に接続し、この突入電流防止回路４にバックアップコンデンサ５を直列に接続する構成とした。【選択図】図１
2008278563.tif 000002
【特許請求の範囲】
【請求項１】
電源（１）と電気電子回路（２）との間に接続されたＤＣ／ＤＣコンバータ（３）と、
前記電源（１）と前記ＤＣ／ＤＣコンバータ（３）との間で前記ＤＣ／ＤＣコンバータ（３）に並列に接続された突入電流防止回路（４）と、
前記突入電流防止回路（４）に直列に接続されたバックアップコンデンサ（５）と
を備え、
前記電源（１）が正常なときに前記電源（１）の電力を前記電気電子回路（２）に供給するとともに前記バックアップコンデンサ（５）に蓄え、前記電源（１）に瞬断が発生したときに前記バックアップコンデンサ（５）の電力を前記電気電子回路（２）に供給することを特徴とする電源回路。
【発明の詳細な説明】
【技術分野】
【０００１】
本発明は、電源回路に関し、特に、突入電流防止回路をＤＣ／ＤＣコンバータに並列に接続することで、突入電流を防ぎつつ、電気電子回路に供給する電力の立ち上がり特性を改善し、より確実に電気電子回路を起動できるようにするための新規な改良に関するものである。
【背景技術】
【０００２】
社内技術で特に特許出願を行っていないため文献名は挙げていないが、従来用いられていたこの種の電源回路は、図２に示すように構成されている。図２は、従来の電源回路を示す構成図である。図において、電源１と電気電子回路２との間には、図中点線で囲まれた電源回路が介在されている。この電源回路は、ＤＣ／ＤＣコンバータ３、突入電流防止回路４、及びバックアップコンデンサ５から構成されており、このＤＣ／ＤＣコンバータ３及び突入電流防止回路４は前記電源１と前記電気電子回路２との間で互いに直列に接続され、前記バックアップコンデンサ５は前記ＤＣ／ＤＣコンバータ３と突入電流防止回路４との間で前記ＤＣ／ＤＣコンバータ３に並列に接続されている。ＤＣ／ＤＣコンバータ３は、電源１から供給された電力を変圧した上で電気電子回路２に供給する。バックアップコンデンサ５は、電源１が正常なときに電源１の電力を蓄え、電源１に瞬断が発生したときに放電し電力を前記電気電子回路２に供給する。前記突入電流防止回路４は、制限抵抗等から構成されており、バックアップコンデンサ５の充電時に突入電流が発生することを防いでいる。なお、電源１が交流電源である場合には、電源回路に整流回路が設けられる。
【発明の開示】
【発明が解決しようとする課題】
【０００３】
上記のような従来の電源回路では、電源１と電気電子回路２との間で突入電流防止回路４がＤＣ／ＤＣコンバータ３に直列に接続されているので、前記突入電流防止回路４の作用により、電気電子回路２に供給する電力の立ち上がりが図２に示すように緩やかになる。すなわち、従来の電源回路では、電気電子回路２に供給する電力の立ち上がり特性が悪く、ＦＰＧＡ等の電気電子回路２が正常に起動しないことがある。
【０００４】
本発明は、上記のような課題を解決するためになされたものであり、その目的は、突入電流を防ぎつつ、電気電子回路に供給する電力の立ち上がり特性を改善でき、より確実に電気電子回路を起動できる電源回路を提供することである。
【課題を解決するための手段】
【０００５】
本発明に係る電源回路は、電源と電気電子回路との間に接続されたＤＣ／ＤＣコンバータと、前記電源と前記ＤＣ／ＤＣコンバータとの間で前記ＤＣ／ＤＣコンバータに並列に接続された突入電流防止回路と、前記突入電流防止回路に直列に接続されたバックアップコンデンサとを備え、前記電源が正常なときに前記電源の電力を前記電気電子回路に供給するとともに前記バックアップコンデンサに蓄え、前記電源に瞬断が発生したときに前記バックアップコンデンサの電力を前記電気電子回路に供給する構成である。
【発明の効果】
【０００６】
本発明の電源回路によれば、突入電流防止回路をＤＣ／ＤＣコンバータに直列に接続せずに並列に接続し、この突入電流防止回路にバックアップコンデンサを直列に接続するので、突入電流を防ぎつつ、電気電子回路に供給する電力の立ち上がり特性を改善でき、より確実に電気電子回路を起動できる。
【発明を実施するための最良の形態】
【０００７】
以下、本発明を実施するための最良の形態について、図面を参照して説明する。
実施の形態１．
図１は、本発明の実施の形態１による電源回路を示す構成図である。なお、従来の電源回路と同一又は同等部分については同一の符号を用いて説明する。図において、電源１と電気電子回路２との間には、図中点線で囲まれた電源回路が介在されている。この電源回路は、ＤＣ／ＤＣコンバータ３、突入電流防止回路４、及びバックアップコンデンサ５から構成されており、ＤＣ／ＤＣコンバータ３は前記電源１と前記電気電子回路２との間に接続され、前記突入電流防止回路４は前記電源１と前記ＤＣ／ＤＣコンバータ３との間で前記ＤＣ／ＤＣコンバータ３に並列に接続され、前記バックアップコンデンサ５は前記突入電流防止回路４に直列に接続されている。
【０００８】
ＤＣ／ＤＣコンバータ３は、電源１から供給された電力を変圧した上で電気電子回路２に供給する。バックアップコンデンサ５は、電源１が正常なときに電源１の電力を蓄え、電源１に瞬断が発生したときに放電し電力を前記電気電子回路２に供給する。前記突入電流防止回路４は、制限抵抗等から構成されており、バックアップコンデンサ５の充電時に突入電流が発生することを防いでいる。なお、電源１が交流電源である場合には、電源回路に整流回路が設けられる。
【０００９】
次に、作用について説明する。通常、ＤＣ／ＤＣコンバータ３の容量成分は小さく、電源１をＤＣ／ＤＣコンバータ３に直接接続したとしても突入電流は発生しない。突入電流防止回路４がＤＣ／ＤＣコンバータ３に直列に接続されていないので、電気電子回路２に供給する電力の立ち上がりを、図１に示すように急峻にすることができる。すなわち、電気電子回路２に供給する電力の立ち上がり特性を改善でき、より確実に電気電子回路２を起動できる。また、突入電流防止回路４がＤＣ／ＤＣコンバータ３に並列に接続され、この突入電流防止回路４にバックアップコンデンサ５が直列に接続されているので、バックアップコンデンサ５の充電時の突入電流も防ぐことができる。特に、突入電流防止回路４の作用と電気電子回路２への電力供給を切り離すことができるので、突入電流の防止時間を十分に長くでき、突入電流をより少なく抑えることができる。
【図面の簡単な説明】
【００１０】
【図１】本発明の実施の形態１による電源回路を示す斜視図である。
【図２】従来の電源回路を示す構成図である。
【符号の説明】
【００１１】
１  電源
２  電気電子回路
３  ＤＣ／ＤＣコンバータ
４  突入電流防止回路
５  バックアップコンデンサ
【図１】
2008278563.tif 000003
【図２】
2008278563.tif 000004
(57)【要約】  【課題】  地表と地中が有する熱エネルギーの温度差から熱電対発電機で発電する装置に関し、路面、構築物の屋上面、露地面、地中上層部、地中深層部に熱エネルギー源を求め、未利用熱エネルギーを使い二酸化炭素の排出をせず熱電対発電機にて安定した発電を目的とする。  【解決手段】  路面、構築物の屋上面、露地面の熱エネルギーと地中上層部の熱エネルギーとの温度差から発電する地表熱電対発電機と、地中上層部、地中深層部の熱エネルギーの温度差から発電する地中熱電対発電機と、路面、構築物の屋上面、露地面、地中上層部、地中深層部にヒートポンプにより循環する導熱液用のパイプを組込んだ集熱体を内包した蓄熱体を備えて構成される。  【選択図】図１
2008271666.tif 000002
【特許請求の範囲】
【請求項１】
路面、構築物の屋上面、露地面の熱エネルギーと地中上層部の熱エネルギーとの温度差から発電する地表熱電対発電機と、地中上層部、地中深層部の熱エネルギーの温度差から発電する地中熱電対発電機と、路面、構築物の屋上面、露地面、地中上層部、地中深層部にヒートポンプにより循環する導熱液用のパイプを組込んだ集熱体を内包した蓄熱体とを備えたことを特徴とする熱電対発電装置。
【請求項２】
請求項１の集熱体は、比熱1・４５、熱伝導率1・４の性能を有するアスファルトとゴム等の混合材とし、その内部に導熱液を流すパイプを内蔵し、上下辺に鉄網を入れ、上表面と側表面に三角溝をほどこし長方体に加圧成型した集熱体。
【請求項３】
請求項１の蓄熱体は、アスファルトとゴム等から成る比熱1・４５の蓄熱体用混合材を使用した蓄熱体。  
【発明の詳細な説明】
【技術分野】
【０００１】
本発明は、地表と地中が有する熱エネルギーの温度差から熱電対発電機で発電する装置に関する。
【背景技術】
【０００２】
従来の発電方法は、水力や化石燃料や原子力を中心に稼動しており、自然エネルギーを利用する発電は、高温地熱による熱水や蒸気を、配管を介してタービンへ送り発電機を稼働させる地熱発電や、風力を利用する風力発電、太陽光で発電する太陽光発電など一部である。
【０００３】
前記の化石燃料や原子力を利用した発電は、元となる資源量や設備環境面、施設増設に問題がある。
【０００４】
また、地熱発電は、高熱水エネルギー採取の発電施設の立地条件に問題があり風力発電や太陽光発電は、自然条件などにより安定的な電力確保に問題がある。
【特許文献１】特開２００６−１００３３４
【発明の開示】
【発明が解決しようとする課題】
【０００５】
本発明は、利用が進まなかった地表と地中の未利用熱エネルギー温度差からの安定した発電を課題とする。
【発明の効果】
【０００６】
本発明によれば、路面、構築物の屋上面、露地面、地中上層部、地中深層部に熱エネルギー源を求め、未利用熱エネルギーを使い二酸化炭素の排出をせず熱電対発電機にて安定した発電をすることができる。
【発明を実施するための最良の形態】
【０００７】
以下、図面を参照しながら実施するための最良の形態を説明する。
【０００８】
図１は、本発明の実施形態での装置の全体の断面図、図２は路面や露地面での蓄熱体と集熱体の平面図と断面図、図３は地中部に埋設されている蓄熱体に包まれた、地中外筒内の集熱体と熱電対発電機の平面図と断面図。
【０００９】
図１から図３に示すように、路面、構築物の屋上面、露地面と、地中上層部と地中深層部の熱エネルギー源に蓄熱体と集熱体を設置し、地表熱電対発電機５ａと地中熱電対発電機５ｂから発電する。
【００１０】
地表熱電対発電機５ａは、下記、熱Ａ、熱Ｂの熱エネルギーを使用する。
【００１１】
熱Ａ、夏期の路面表層部３ａまたは露地表層部３ｂの熱エネルギーが、上部集熱体２から地表導熱液用パイプ４ａを通して、水に不凍液を混入した導熱液によりに送られる。
【００１２】
熱Ｂ、地中上層地熱部７の熱エネルギーが、地中上層集熱体１５から地上導熱液用パイプ４ｂを通して、水に不凍液を混入した導熱液により送られる。
地表熱電対発電機５ａでは熱Ａと熱Ｂの温度差によって発電する。
【００１３】
地表熱電対発電機５ａで発電した電気エネルギーを、熱電対送電線１０ａを通して、地表側溝９ａ内の地表送電線１０ｂで送電する。
【００１４】
地中熱電対発電機５ｂは、下記、熱Ｃ、熱Ｄ、熱Ｅの熱エネルギーを使用する。
【００１５】
熱Ｃ、冬期の路面表層部３ａまたは露地表層部３ｂの熱エネルギーが、上部集熱体２から地中上層地熱部７に埋設された地中上層外筒１７ａ内の地中深層導熱液用パイプ４ａ２ を通して、水に不凍液を混入した導熱液によりに送られる。
【００１６】
熱Ｄ、地中上層地熱部７の熱エネルギーが、地中上層集熱体１５から地中上層導熱液用パイプ４ｃを通して水に不凍液を混入した導熱液により送られる。
【００１７】
熱Ｅ、地中深層地熱部８の熱エネルギーが、地中深層集熱体１６から地中深層導熱液用パイプ４ d を通して水に不凍液を混入した導熱液により送られる。
【００１８】
地中熱電対発電機５ｂでは、冬期、熱Ｃと、熱Ｅの温度差から発電し、熱Ｄと熱Ｅの温度差から通年発電する。
【００１９】
地中熱電対発電機５ｂで発電した電気エネルギーを、地中熱電対発電機５ｂに内包されている熱電対送電線１０ d を通して、地中側溝９ｂ内の地中送電線１０ｃへ送り、地中送電線１０ｃで送電する。
【図面の簡単な説明】
【００２０】
【図１】は、本発明の実施形態での装置の全体の断面図。
【図２】は路面や露地面での蓄熱体と集熱体の平面図と断面図。
【図３】は地中部に埋設されている蓄熱体に包まれた、地中外筒内の集熱体と熱電対発電機の平面図と断面図。
【符号の説明】
【００２１】
１ａ    上部蓄熱体
１ｂ    下部蓄熱体
２      上部集熱体
３ａ    路面表層部
３ｂ    露地表層部
４ａ    地表導熱液用パイプ
４ａ２  地表導熱液用パイプ
４ｂ    地上導熱液用パイプ
４ｃ    地中上層導熱液用パイプ
４ｄ    地中深層導熱液用パイプ
５ａ    地表熱電対発電機
５ｂ    地中熱電対発電機
６      緩衝部
７      地中上層地熱部
８      地中深層地熱部
９ａ    地表側溝
９ｂ    地中側溝
１０ｂ  地表送電線
１０ｃ  地中送電線
１０ｄ  地中熱電対送電線
１１    上部保護材
１２    下部保護材
１３    地中上層蓄熱体          
１４    地中深層蓄熱体
１５    地中上層集熱体
１６    地中深層集熱体
１７ａ  地中上層外筒
１７ｂ  地中深層外筒    
【図１】
2008271666.tif 000003
【図２】
2008271666.tif 000004
【図３】
2008271666.tif 000005
(57)【要約】      （修正有）【課題】常用照明器を非常用として確実に点灯できるようにする。【解決手段】無停電電源装置（ＵＰＳ）をあらかじめ電気回線に接続しておき、非常発生時には停電のため補助継電器ＡのスイッチがＯＦＦとなり、同時に電源が無停電電源装置（ＵＰＳ）に切り換わる。さらに、それと同時に補助継電器ＢのスイッチがＯＮとなり、接続している常用照明器が非常用として点灯する。【選択図】図１
2008271766.tif 000002
【特許請求の範囲】
【請求項１】
無停電電源装置（ＵＰＳ）を使い常用照明器を非常発生時に非常用として点灯させる電気回線システム。
【発明の詳細な説明】
【技術分野】
【０００１】本発明は、無停電電源装置（ＵＰＳ）を使用し非常発生時に補助継電器の作動により常用照明器を非常用として点灯させる電気回線システムである。
【背景技術】
【０００２】
【発明の開示】
【発明が解決しようとする課題】
【０００３】一般の非常灯は蓄電用バッテリーを使用し、非常用の専用照明器を点灯しているが、非常発生時にバッテリーの放電及び球切れ等の想定外のトラブルにより確実に点灯するか課題がある。
【課題を解決するための手段】
【０００４】本発明は、非常発生に備え無停電電源装置（ＵＰＳ）をあらかじめ電気回線に接続しておく。
非常発生時には組入れた補助継電器が作動しそれぞれのスイッチが切り換わると同時に、電源が無停電電源装置（ＵＰＳ）に自動的に切り換わり常用照明器を非常用として点灯させることができる。
【発明の効果】
【０００５】本発明は、非常発生時に起きる想定外のハプニングにより非常灯が点灯しないトラブルを回避し、常用照明器を非常用として確実に点灯することができる。
【図面の簡単な説明】
【０００６】
【図１】無停電電源装置（ＵＰＳ）による常用照明器を非常発生時に非常用として点灯させる電気回線システムに関わる概観図である。
【符号の説明】
【０００７】▲１▼  無停電電源装置（ＵＰＳ）
▲２▼  補助継電器Ａ
▲３▼  補助継電器Ｂ
▲４▼  常用照明器
【図１】
2008271766.tif 000003
(57)【要約】【課題】  本発明の解決すべき課題は畜肉或いは魚介類を主素材として用いることなく、植物性素材で食味、食感に優れたカレー状食品を提供することにある。【解決手段】  カレー状食品を加熱調理し、レトルト容器に投入した後、殺菌加熱を行うカレー状レトルト食品において、  カレー状調味液を加熱調理したのち、レトルト容器に投入する際に、別途調製された巻取湯葉を投入することを特徴とするカレー状レトルト食品。【選択図】      図１
2008271877.tif 000002
【特許請求の範囲】
【請求項１】
所定形状に成形された巻取湯葉を含むカレー状食品。
【請求項２】
カレー状食品を加熱調理し、レトルト容器に投入した後、殺菌加熱を行うカレー状レトルト食品において、
カレー状調味液を加熱調理したのち、レトルト容器に投入する際に、別途調製された巻取湯葉を投入することを特徴とするカレー状レトルト食品。
【発明の詳細な説明】
【技術分野】
【０００１】
本発明はカレー状食品、特に畜肉に代わり巻取湯葉を用いたカレー状食品に関する。
【背景技術】
【０００２】
牛肉等の畜肉、および各種野菜を煮込み、香辛料、ルーを用いて調味したカレー状食品が周知であり、特にこれらをレトルトパックしたものは保存食としても優れたものである。
一方で、嗜好或いは健康上の問題で畜肉を食せない場合、特に畜肉が有する高栄養価が健康上の理由から好ましくない場合には、畜肉を抜去したカレー状食品が必要になるが、畜肉に代わる食材として魚介類などを用いたものはあるものの、植物性素材で代替したものはあまり見受けられない。
【特許文献１】特開２００６−１５８３８５
【特許文献２】特開平１１−２７６１２６
【発明の開示】
【発明が解決しようとする課題】
【０００３】
本発明は前記従来技術に鑑みなされたものであり、その解決すべき課題は畜肉或いは魚介類を主素材として用いることなく、植物性素材を主原料として用いつつ食味、食感に優れたカレー状食品を提供することにある。
【課題を解決するための手段】
【０００４】
前記課題を解決するために本発明にかかるカレー状食品は、所定形状に成形された巻取湯葉を含むことを特徴とする。
また、本発明にかかるカレー状レトルト食品は、
カレー状調味液を加熱調理したのち、レトルト容器に投入する際に、別途調製された巻取湯葉を投入することを特徴とする。
【発明の効果】
【０００５】
本発明にかかるカレー状食品によれば、巻取湯葉を畜肉に代わり用いたので、動物性食材を用いることなく、食味、食感に優れたカレー状食品を提供することができる。
特にカレー状調味液を加熱調整した後、レトルト容器に投入する際に巻取湯葉を投入し、その後にレトルト加熱することにより、巻取湯葉が硬くなりすぎることを防止し、しかもレトルト加熱によりカレー状調味液と良好に馴染ませることができる。
【発明を実施するための最良の形態】
【０００６】
以下、図面に基づき本発明の好適な実施形態を説明する。
図１には本発明の一実施形態にかかるホワイト湯葉カレーの製造工程が示されている。
すなわち、熱湯に香辛料、カレーフレークを投入し、煮熟する。そして、乳製品を投入してホワイトカレー状調味液を調製する。この際、乳製品として牛乳のほか、濃縮牛乳を使用することによりマイルドな味わいを出すとともに、通常牛乳のみを用いた場合の希釈によるコクの減殺を防止している。また、乳製品としてホイップクリームを添加することにより、クリーミーな風味を出すことができる。さらに、本実施形態では白さを損なわないよう白こしょうを用い、野菜のブロックを使用しないことで、彩りを楽しめる白さを実現している。
【０００７】
一方、前記カレー状調味液とは別途、大豆を洗浄した上で搾汁し、豆乳を調製する。そして、湯葉製造の常法により加熱成膜し、生成した湯葉を引き上げ、巻き取る。この巻取湯葉を適当に成形、裁断し、肉代用巻取湯葉とする。
そして、前記ホワイトカレー状調味液と肉代用巻取湯葉、及び必要に応じてキノコなどを計量し、レトルト容器に充填、レトルト殺菌を行う。
このように本実施形態によれば、湯葉をカレー状調味液と一緒に煮込むことがないので、湯葉が必要以上に硬化することがない。
しかも、レトルト殺菌、貯蔵及び食するときの再加熱により、巻取湯葉はカレー状調味液と適度に馴染み、食味、食感ともに優れたものとなる。
【図面の簡単な説明】
【０００８】
【図１】本発明の一実施形態にかかるホワイト湯葉カレーの製造工程の説明図である。
【図１】
2008271877.tif 000003
(57)【要約】【課題】  現在の技術は、処理の安定性、有毒ガス等の発生、爆発等の二次災害の危険性が有った。【解決手段】  当技術は、有害物質含有廃油の油性を分解し、水性化してバイオ処理する為、安定性が有り、二次災害の危険がない。【特許請求の範囲】
【請求項１】
有害物質含有廃油の油性を分解し水性化して、微生物による分解を可能にしたことを特徴とした技術
【請求項２】
前記水性化したものは、米ぬかと混合し、水分調整をしたものであることを特徴とする請求項１記載の技術
【発明の詳細な説明】
【技術分野】
【０００１】  この発明は、有害物質含有廃油（鉱物油、植物油）等の処理技術に関する
【背景技術】
【０００２】  従来の有害物質含有廃油は、化学処理、焼却処理が行われている
【発明の開示】
【発明が解決しようとする課題】
【０００３】  しかしながら、以上の技術によれば、処理結果に安定性がなかったり、高温で処理しなければならないので、その為の設備等のコストが高く、また、不完全燃焼により酸化して猛毒のポリ塩化ジベンゾフラン（ＰＣＤＦ）の発生、爆発等の二次災害の生じる恐れがあった。尚、前記以外による処理方法も色々と試みがなされているが、いずれも二次災害発生、処理コスト問題及び、処理結果の安定性を欠く問題に突き当たっており、完全な処理技術の確立並びに実用化までには至っていないのが現状である。本発明は、かかる従来の問題点に鑑みて発明したものであり、その目的は、有害物質含有廃油を常温で処理することができるとともに、高価な設備や操作等が必要でなく、安価に有害物質含有廃油の処理を行うことができ、二次災害の発生の恐れもない安全な処理方法を提供することである。
【課題を解決するための手段】
【０００４】  前記、目的を解決するための手段として、本発明の有害物質含有廃油の処理方法では、有害物質を含有する廃油に、精製水、乳化剤を加え、インペラーにより撹拌しながら油性分解反応を行う方法を採用した。精製水は蒸留水でもよく、乳化剤は界面活性剤として、ポリオキシエチレンアルキルエーテル、ソルビタン脂肪酸エステルを１対１で混合したものを有害物質含有廃油１，０００ｍｇに対し、精製水５００ｍｇの中に全体量の０．５％〜３％投入する。その後インペラーにより撹拌を３０分〜６０分行うことにより、有害物質含有廃油の油性を完全に分解し、水性化したものを、米ぬかと混ぜ合わせ、水分調整をしたものを、最終のバイオ処理にてＣＯ２とＨ２Ｏに完全分解することが可能である。
【発明を実施するための最良の形態】
【０００５】  以下、本発明の実施の形態を説明する。まず、ＰＣＢが１７０ｐｐｍ含まれる廃油５，０００ｍｇに精製水２，５００ｍｇとポリオキシエチレンアルキルエーテルとソルビタン脂肪酸エステルを１対１で混合したものを全体量７，５００ｍｇに対し、３％（２２５ｍｇ）投入後、インペラーにより３０分〜６０分撹拌することによりＰＣＢ含有廃油の油性が分解され、水性になったものを米ぬかと混合し、水分調整したものをバイオ処理する。この間の反応温度、圧力は常温（外気温）常圧（外気圧）である。最終的にできたものは、ＣＯ２、Ｈ２Ｏ、もともとの菌床であるが、分析結果はいずれもＰＣＢは検出限界以下（０．５ｐｐｍ）であり、完全に消滅したことが証明できる。尚、計量方法は、環水管第１２７号「底質調査方法」、高分解ガスクロマトグラフ質量分析法を用いた。したがって、この処理方法は、環境についてなんら問題なく環境保全を図ることができるものである。
【発明の効果】
【０００６】  以上の通り、本発明の有害物質含有廃油の処理方法では、前記のように構成したので有害物質含有廃油を完全かつ確実に処理することができ、有害物質含有廃油の処理方法として最適である。また、本発明では、常温、常圧で、特別な装置や操作を要することなく有害物質含有廃油を処理することができて、安全で経済的である。また、本発明では、有害物質含有廃油を最終はバイオ処理を行い、焼却などの作業を行わないので、ガス等の有害な二次災害物質が発生することがなく安全である。また、処理作業は、保管場所へ装置を持ち込んで行うことができるので、有害物質含有廃油の移動が必要なく安全である。
【図面の簡単な説明】
【０００７】
【図１】  処理に必要なプラントは▲１▼有害物質含有廃油槽  ▲２▼精製水槽  ▲３▼界面活性剤槽  ▲４▼撹拌槽  ▲５▼水分調整槽  ▲６▼米ぬか槽  ▲７▼バイオ処理槽  プラントはオールステンレス製が望ましい。処理の流れは、Ｉ．▲１▼有害物質含有廃油槽→▲４▼撹拌槽  ＩＩ．▲２▼精製水槽→▲４▼撹拌槽  ＩＩＩ．▲３▼界面活性剤槽▲４▼撹拌槽  ＩＶ．撹拌３０分〜６０分  Ｖ．▲４▼撹拌槽→水分調整槽  ＶＩ．米ぬか槽→水分調整槽  ＶＩＩ．水分調整槽→▲７▼バイオ処理槽
【図１】
2008271992.tif 000002
(57)【要約】      （修正有）【課題】豆腐製造の際に出るオカラは、近年まで肥料か廃棄物の扱いだった。加工技術の発達と健康思考からオカラの利用価値が高まり、オカラを混入した加工品が製品化され、菓子、ダイエット食品の地位を築いているが、淡白なオカラに味の加工を施すことを重要視している。そこで、生のオカラに保存薬品の投入をせず、長期保存の憂慮に配し、高齢化に準じ安価で経済的な主食をオカラの資源の活用も併せて第２の米とするオカラ米の製造方法を提出する。【解決手段】余分な味付けはせず、粘り気はグルテンで、米特有のもっちり感はオオバコ種皮で、サックリ感は粉寒天と粉卵白に頼り、容器を用いこれらを攪拌混合する。これを蒸し、細かく刻み、保存法は冷凍及び、オーブンレンジにて乾燥させるオカラ米の製造法。【選択図】図２
2008271935.tif 000002
【特許請求の範囲】
【請求項１】
澱粉質の少ない特性を持つ生オカラを主食の米の代用食として製造する。余分な味付けはせず、粘り気はグルテンで、米特有のもっちり感はオオバコ種皮で、サックリ感は粉寒天と粉卵白に頼り、容器を用いこれらを攪拌混合する。これを蒸し、細かく刻み、保存法は冷凍及び、オーブンレンジにて乾燥させるオカラ米の製造法。
【請求項２】
攪拌混合の工程で、塩、カレー粉、卵、そば粉、ナッツ類、唐辛子、スキムミルク、蜂蜜、膨張剤、病人食用には栄養剤の混合が可能であり、何れか一つ又は幾つかの組み合わせを添加して捏練されたことを特徴とする請求項１に記載のオカラ米の製造法。
【発明の詳細な説明】
【技術分野】
【０００１】    本発案は、広範囲分野に対応できる第２の主食となるオカラに関する。
【背景技術】
【０００２】  従来のオカラに関する利用法は、調理過程において美味を追求することにあった（例えば特開平７−２８９１４７）又は、健康食品として製造されている（特開２００５−１４３４０４）オカラの注目度は高く、利用範囲も広い。【０００３】  近頃に見る健康ブームで問題視されているのは糖分と澱粉質である。特に澱粉は摂取後体内に於いて糖に変化することは周知の事実となっている。オカラは澱粉質の含有が少なく、これを主食として摂取すれば健康に役に立つ。【０００４】  又、地球環境の変化も著しく、異常気象、高齢化に対応できる食品としてパンがあるが、この国の食生活では完全に移行するには時間がかかる。簡単に製造ができ、保存可能な主食となる第２の米は必要不可欠である。
【発案の開示】
【発明が解決しようとする課題】
【０００５】  オカラを用いた既存の加工、製造法は、無味であるオカラに何らかの味を加えた食品として完成させているが、嗜好物であり、主食の役割はない。
【０００６】  過剰な味の加工は保存期間に関係し、防腐剤の食品への混入は不可欠となる。
【０００７】  本発案は生のオカラに保存薬品の投入をせず、長期保存の憂慮に配し、高齢化に準じ安価で経済的な主食をオカラの資源の活用も併せて第２の米とすることを目的とするものである。
【課題を解決するための手段】
【０００８】  即ち、上記目的に適合するために生オカラにグルテン、オオバコ種皮、粉寒天、卵白粉を攪拌混合し、蒸し器にて中火で２０分間蒸し、冷ました後に細かく切る。保存方法は冷凍保存とと乾燥保存の手段をとる。
【０００９】  図１のように家庭での製造の場合は、そのまま食し、余ったものは冷凍保存かオーブンレンジにて乾燥保存ができるが、長期保存は望めない。図２のように完全なる均一形状及び、乾燥保存は機械に依る（例えば特開平０９−２０５９９３）方法が最良である。
【作用】
【００１０】  本発案は上記の如く、淡白なオカラの特質を生かしたまま、米の特徴である粘みとさっばり感を確保し、噛むことにより甘味もでる。料理との相性もよく、米と同様の満腹感を得ることができる。
【００１１】  炭水化物は体内に於いて糖に変化するが、オカラに於ける炭水化物扱いはなく、糖に変質する心配のない食品である。これによって病人食からダイエット食品に至るまで広範囲の拡大利用が予想される。
【００１２】  オカラは豆腐の副産物であり、原材料は大豆である。大豆と米の栽培技術と時間を比較すると、大豆は栽培期間が短い分農薬の含有量が少なくて済む。
【実施例】  以下、本発案の具体的な実施例について説明する【００１３】  本発案は前述の如く生オカラを原材料として、混合物は入れるがあえて味付けをしないことにより主食になり得る。【００１４】  従来にあっては、美味を追求するために、小麦粉、砂糖、バターを混入するのが一般的となっている。これはオカラの味が淡白な上に粘着性がなく、製品として完成させるには混入物に拠らなくてはならないからである。【００１５】  本発案は生オカラが主体であるが故に粘着性が最大の課題である。これを小麦粉５００ｇよりグルテン２００ｇを取り出すことから始めたい。生オカラ３００ｇに対し、グルテン１００ｇを使用、混入する。【００１６】  以下の配合分量は、オオバコ種皮大さじ２、粉寒天大さじ１、粉卵白大さじ１である。よく練り攪拌した後は３０分間休ませるのが望ましい。【００１６】  後で切ることを考慮し、蒸し布の上で平たく成形し、蒸し器に入れ２０分間蒸し、加熱する。【００１７】  熱いうちは型が崩れやすく、冷まして接触可能の状態で切るのがよい。前述通り、家庭ではこの細かく切った状態のものを主食の代りに摂取できる。【００１８】  米粒状に切ったオカラの保存は、冷凍保存か、オーブンレンジを用い乾燥させ、冷蔵保存とする。
【発案を実施するための最良の形態】
【００１９】  しかしながら、家庭での保存はここまでである。長期保存は機械による攪拌、過熱、粒状形成、乾燥を経る工程が望ましい。
【発案の効果】
【００２０】  オカラ米を用い、カレー、親子丼、普通の食膳（焼き魚、味噌汁、煮物、漬物）に組み合わせてみた。カレーと丼は調理したものをかける技法であり、味がオカラ米に滲み、米の代用としてカレーとの違和感はない。食膳の主食とする場合、オカラ米を細かく切ることは重大ではあるが、副菜との相性は良好で、いずれも米を用いた場合と同様の充分な満足感と満腹感を得ることができる。
【００２１】  本発案に［請求項２］にあるようなものを混入してみた。嗜好物と主食の間になるが、いずれも総量の１割以下の薄味がよい。完全な嗜好物には誇張剤を用い、口当たりの工夫分量が必要である。
【００２２】  本発案のオカラ使用の目的は、オカラに澱粉の含有量が少ないことにある。糖に変化せず消化作用の優れている利点を生かせば、病人食として最適である。又、カロリー部門の課題からはダイエット食として大きな役割を果たす。
【００２３】  機械による大量生産なら短時間でできるので、製造過程に於いて防腐剤を混入することなく味の変質を防ぐことができる。梱包することにより軽量状態の保管ができる。これらは遠距離の輸送を可能とし、援助物資として国内外に陸、空、海とも大量の輸送ができる。水分を加えるだけの主食は、高齢化社会の担い手として活用はもはや目前である。激動する地球環境に対応するには、即時に大量生産できる第２の米の準備を急がねばならない。
【図面の簡単な説明】
【００２４】
【図１】本発案の家庭に於ける製造図
【図２】機械による製造案図
【図１】
2008271935.tif 000003
【図２】
2008271935.tif 000004
(57)【要約】【課題】  カマは、中腰の作業のため腰痛に苦しみ長時間かかる。草刈機は、振り回すことには適すが実や葉を傷つけやすくケガの危険もある。どちらも高齢化の進む中で対応がしにくい。【解決手段】  リモコン茎切り農作業車の場合は、遠隔操作なのでケガ・腰痛・毒蛇・害虫の心配もなく快適な作業が出来、高齢化社会にマッチする。【選択図】図１
2008271940.tif 000002
【特許請求の範囲】
【請求項１】
本体ラジコン戦車（１）の車輪部にキャタビラ（４）を取り付けエンジン（２）とバッテリー（３）を装着し、屋形船の屋形（５）を本体（１）の上にかぶせ屋根（６）に砲筒棒（８）アンテナ（９）を取り付け、屋形の前面に三角壁（１２）を貼り付け、前部先端にバリカン刃（７）を付け、最後部に小型耕耘機の刃や畝立てが装着出来る金具（１１）を付けた。以上の如く構成されたリモコン式茎切り農作業車。
【請求項２】
前部先端のバリカン刃は、苅り払い機用のノコ刃も丸ノコの刃も使用出来る。
【請求項３】
左右にツバメの両翼のように苅り刃を取り付けることも出来る。
【請求項４】
キャタビラ車のかわりにタイヤ車輪もでもよい。
【発明の詳細な説明】
【技術分野】
【０００１】  本発明は、黒豆等一本茎を切るための農作業車に関する。
【背景技術】
【０００２】  従来の黒豆を収穫するには、カマか草刈機、大農園は、コンバインの様な方法だ。
【発明が解決しょうとする課題】
【０００３】  農業は、高齢化が進みカマや草刈機では腰痛になり、長時間労働に悩まされている。小規模農園では、高価なコンバインは不要であり、高齢者には向かない。又農業従事者人口の減少が悩みだ。
【課題を解決するための手段】
【０００４】  そこで、高齢化が進んでも農業従事者の人口減少しても大丈夫な体を痛めない楽なリモコン式作業による茎切りの農作業車の発明だ。
【発明の効果】
【０００５】  本発明により、腰痛・毒蛇・ハチや害虫等の心配もなく、簡単に遠隔操作が出来且つ安全で、誰れでも簡単に茎きりの農作業することが出来る。
【発明を実施するための最良の形態】
【０００６】  本案件に係るリモコン式茎切り農作業車。本体（１）はキャタビラ戦車型にエンジン（２）とバッテリー（３）を装備し、先端部分に枝切り用のバリカン（７）を取り付け、土との高低調節とバリカンの向きを切り替え用センサー（１０）を取り付ける。本体（１）に屋形船の屋形（５）をかぶせ、屋根（６）の上に３６０度まわる砲筒棒（８）（スライド式）とその上にアンテナ（９）を付ける。屋形前面に三角壁（１２）を貼り付ける。最後部には、耕す刃・畝づくりが取り付けられるよう突起金具（１１）を付けたリモコン式茎切り農作業車。
本案を使用するときは、本体を畝の上に置き、リモコンでスタートのスイッチを入れ、切った作物を砲筒棒で払い、三角壁と屋根でこすりながら谷へ落とす。
【産業上の利用可能性】
【０００７】  本発明に係るリモコン式茎切り農作業車は、将来の農作業に不可欠、必需的なものだから、産業上利用可能性を有する。
【図面の簡単な説明】
【０００８】
【図１】斜視図
【図２】平面図
【図３】側面図  本案件の簡単な図である。
【図４】カマ
【図５】草刈機  図４〜図５は従来の茎切りである。
【符号の説明】
【０００９】  １本体
２エンジン
３バッテリー
４キャタビラ
５屋形
６屋根
７バリカン
８砲筒棒
９アンテナ
１０高低調節とバリカン刃向き切り替えセンサー
１１取り付け突起金具
１２三角壁
１３リモコン
【図１】
2008271940.tif 000003
【図２】
2008271940.tif 000004
【図３】
2008271940.tif 000005
【図４】
2008271940.tif 000006
【図５】
2008271940.tif 000007
(57)【要約】      （修正有）【課題】魚釣り時に撒き餌カゴの役目を的確に果し、投入後の巻き上げが軽快でスム−ズであり、コマセの充填が簡単に且つ素早く出来る遠投撒き餌カゴを提供する。【解決手段】ウキ３にコマセを入れる円筒網カゴ５を付け、その下に底蓋８を蝶番兼スプリング７で繋ぎ、底蓋の開閉は吊り下げ糸の張力とスプリングの力を利用する。吊り下げ糸４は網カゴ５及びウキの貫通穴２を通しウキの先端から引き出し、サルカン１に結束する。投入時、釣竿を立てるとコマセと撒き餌カゴの重さで底蓋は閉まる。コマセを撒き餌カゴに入れ投入すると、底蓋は閉じたまま飛行する。その後、慣性で飛行し始めるとスプリングの力が作用して、底蓋は６０度程度に開くが、この時点ではコマセの飛散は無い。底蓋は開いたまま着水して、コマセは放出される。巻き上げ時はウキを先頭に引き上げるので撒き餌カゴは水に潜ることなく軽々と巻き取れる。【選択図】図２
2008271939.tif 000002
【特許請求の範囲】
【請求項１】
鉄砲玉の様なウキと、コマセを入れる撒き餌カゴを有し、蝶番を兼ねたスプリングのある底蓋を繋いだ構造にしたことを特徴とした遠投用撒き餌カゴ。
【請求項２】
底蓋が先端部に取付けられたウキの吊り下げ糸貫通穴を通して道糸と結束されており、吊り下げ糸の張力がない場合に蝶番を兼ねたスプリングの力で常時６０度程度に底蓋が開く様にしたことを特徴とした請求項１記載の遠投用撒き餌カゴ。
【請求項３】
ウキの先端部がなめらかな半球状になったこと、撒き餌カゴが円筒状になったことを特徴とした請求項２記載の遠投用撒き餌カゴ。
【請求項４】
人差指で、底蓋を９０度に開けることが可能なことを特徴とした請求項２記載の遠投用撒き餌カゴ。
【発明の詳細な説明】
【技術分野】
【０００１】  本発明は、撒き餌を収容し水中で撒き餌を放出する遠投用に適する撒き餌カゴに関するものである。
【背景技術】
【０００２】  市販の撒き餌カゴは、常時ウキが下、金網カゴが上になる構造なので投入時の力で、コマセがウキ底へ強く押しつけられ着水後、コマセの大部分は流出するがウキ底にこびり付いた一部が残る。本発明は、常時、ウキが上、金網カゴが下になる構造なので、投入時の力はコマセをウキ底から引き離し、ウキ底へのこびりつきはなく、慣性で飛行する、途中底蓋は６０度程度に開くが、コマセの飛散は無く、着水し、垂直に浮ぶ。底蓋は開いたままなので、コマセは残る事なく、全て流出する。【０００３】  市販の撒き餌カゴは、巻き上げ時、網カゴを先頭にウキを後ろにした格好になるので撒き餌カゴが水に潜り、水を汲みながら引き上げる格好になり、水の抵抗が大きい。本発明は、その欠点を解消すべく、巻き上げ時、ウキを先頭に、網カゴを後に引き上げるので、撒き餌カゴは、水に潜ること無く、水面を滑りながら、巻き取れるので、水の抵抗を激減させる事が出来る。
【発明が解決しようとする課題】
【０００４】  従来の製品は、撒き餌カゴを投入後、一部のコマセがウキの底へ、へばりつき残る、残らない様に、全てを放出するかが課題である。従来の製品は、巻き取る時、構造上、撒き餌カゴで、水を汲みながら引き上げる格好になり、この大きな水の抵抗を如何にして削減するかが課題である。従来の製品は、巻き上げ時に、水の抵抗が大きく、竿のガイドと、道糸が摩れて、激しく痛む、この傷みを如何にして、少なくするかが課題である。
【課題を解決するための手段】
【０００５】  撒き餌カゴを投入後、撒き餌カゴの中に、コマセが残らない様に、する為、投入時、投入力で、コマセは、ウキ底から離され、逆に、底蓋に押しつけられ、ウキ底に、こびりつく事なく、飛行し、途中、慣性で飛行し始め、吊り下げ糸の張力が零になると底蓋はスプリングの、力で６０度程度に開くが、コマセの飛散も無く、着水し、垂直に浮び、底蓋は開いたままなので、コマセは、残る事なく全てスム−ズに流出する。
【０００６】  本発明は、水の抵抗を少なくする為、鉄砲玉の様なウキに、底蓋の付いた円筒金網を固定し、巻き上げ時に、撒き餌カゴはウキを先頭に  円筒金網を後ろにして、引き上げるので、ウキは浮上したまま、水に潜る半なく水の上を滑る様になり、水の抵抗を激減させた。道糸の摩耗を減らす為には、前記の姿勢で、撒き餌カゴを、巻き取るので、水の抵抗が減り、釣竿のガイドと、道糸の摩擦が減り、道糸の摩耗を減少させた。
【発明の効果】
【０００７】  投入時に、コマセは、投入力で、ウキ底から離され、しっかり閉まった、底蓋に押しつけられ、慣性で飛行し、途中底蓋はスプリングの、力で６０度程度に開くが、コマセが飛散する事はない、底蓋は開いたまま着水し、垂直に浮かんだ撒き餌カゴからコマセはスム−ズに放出された。本発明の撒き餌カゴを使用して遠投し、巻き取る時、撒き餌カゴは、上記の姿勢で、巻き上げられるので、撒き餌カゴは、水に潜ることなく、水面を滑り、水の抵抗が小さく、軽々と撒き餌カゴを巻き取る半が出来た。投入後撒き餌カゴを、巻き上げ時に、前記の姿勢で巻き取るので、水の抵抗が減り、道糸と釣竿のガイドとの、摩擦が、減り、道糸の摩耗が少なくなった。
【実施例】
【０００８】    本発明品は、鉄砲玉の様な、ウキ▲３▼に、円筒金網▲５▼、を付け、その下に底蓋▲８▼を、蝶番を兼ねたスプリングＴＭで繋いだ。底蓋の中心▲９▼と吊り下げ糸▲４▼を結び、その糸を、金網カゴ▲５▼の中を通し、ウキの貫通穴▲２▼を通しウキの頭から引き出し、サルカン▲１▼へ繋いだ、吊り下げ糸を引き上げれば、底蓋は閉じる。底蓋▲８▼は、蝶番を兼ねたスプリング▲７▼の力で、吊り下げ糸の張力が弱くなると６０度程度に開く様に、適当な力のスプリングを付けた。投入の為、釣竿を立てると、撒き餌カゴと、コマセの重さで、吊り下げ糸が引き上げられ、底蓋が閉まる。投入後、コマセは慣性で飛行し、吊り下げ糸の張力が零になり、スプリングの力で、底蓋は６０度程度に開いたまま飛行する。しかし途中コマセの飛散はなく、着水した撒き餌カゴは垂直に浮かび、底蓋は開いたままなので、コマセはスム−ズに流出する。撒き餌カゴの、巻き取りは、ウキの方から引き上げるので、ウキは水に潜ることなく水面を滑り、軽々と巻き取れる製品である。【０００９】  実際に使用してみて下記の効果がある。
本発明品を使用してみて、コマセが残らず、流出するのが確認出来た。
本発明品を使用してみて、巻き取り時、水の抵抗が非常に小さいと感じた。
本発明品を使用してみて、道糸の摩耗が減ったのが確認出来た。
【図面の簡単な説明】
【００１０】
【図１】  本発明の正面図と側面図である
【図２】  本発明の断面詳細図である
【図３】  本発明の蝶番兼スプリングの拡大図である
【符号の説明】
【００１１】  ▲１▼  サルカン
▲２▼  ウキ吊り下げ糸貫通穴
▲３▼  鉄砲玉型木製ウキ
▲４▼  ウキ吊り下げ糸
▲５▼  円筒金網カゴ
▲６▼  蝶番兼スプリングの鉄芯
▲７▼  蝶番兼スプリング
▲８▼  底蓋
▲９▼  吊り下げ糸と底蓋の結束点
▲１０▼  底蓋の開閉用爪
【図１】
2008271939.tif 000003
【図２】
2008271939.tif 000004
【図３】
2008271939.tif 000005
(57)【要約】【課題】  ゴキブリ、アリ、虫等の通路を遮断し、捕獲した部分だけを切り取りその部分に新しく補給すれば経済的にも安く付く、夜も夜光塗料で設置してある場所がわかるゴキブリ駆除を提供する。【解決手段】  台所にゴキブリ捕獲用粘着剤を設けたものと、剥離紙に夜光塗料を設けたものを連結紙で一体化してロ−ル状にしたゴキブリ駆除。【選択図】図１
2008271932.tif 000002
【特許請求の範囲】
【請求項１】
台紙にゴキブリ捕獲用粘着剤を設け、剥離紙に夜光塗料を施したものを連結紙で一体化してロ−ル状にしたことを特徴とするゴキブリ捕獲テ−プ
【発明の詳細な説明】
【技術分野】
【０００１】  本発明は、家庭の台所や飲食店等の厨房の出入り口の床に張り、ゴキブリやアリ、虫等の通路を遮断してゴキブリやアリ、虫を捕獲するゴキブリ捕獲テ−プである。
【背景技術】
【０００２】  従来、ゴキブリを捕獲するのには誘導式が多い。
【発明の開示】
【発明が解決しようとする課題】
【０００３】  そのために、次のような問題点があった。
ゴキブリの方から入ってこなければ捕獲出来ず、その上捕獲したゴキブリがそのままになっていると次に入ってきたゴキブリの邪魔になるし、一匹だけで捨てるのでは経済的でない。
本発明は以上の問題点を解決しようとするものである。
【課題を解決するための手段】
【０００４】台紙にゴキブリ捕獲用粘着剤を設け、剥離紙に夜光塗料を施したものを連結紙でつなぎ合わせにしてロ−ル状にしたことを特徴とするゴキブリ捕獲テ−プである。
【発明の効果】
【０００５】  本発明は、ロ−ル状になったテ−プで、ゴキブリ捕獲用接着剤と夜光塗料が施してあり、ミシン線も施してあるので長さを自由に出来、夜などは夜光塗料が施してあるので設置してある所がわかり、又ゴキブリを捕獲した時はその部分だけをミシン線にそって切り取り、その場所だけに補給すれば経済てきに安くすむ。
【発明を実施するための最良の形態】
【０００６】  以下、本発明の実施の形態を説明する。
（イ）台紙（２）の表面にゴキブリ捕獲用粘着剤（１）を設ける。
（ロ）剥離紙（４）の表面下部に夜光塗料（５）を設ける。
（ハ）剥離紙（４）の下部に夜光塗料（５）を設け、切り込み（７）をいれる。
（ニ）台紙（２）にゴキブリ捕獲用粘着済（１）を施したテ−プと剥離紙（４）に夜光塗料（５）と連結紙（３）で一体化して、それらに共通した一定間隔でミシン線（６）を設ける。
（ホ）台紙（２）と剥離紙（４）を連結紙（３）を中心にして、二つ折りにしてロ−ル状に巻く。
以上の構成からなるゴキブリ捕獲テ−プである。
本発明は、以上の構成よりなっていてこれを使用するときは先ず、ゴキブリやアリの出入り口（通路）になっている場所、流し台（９）や冷蔵庫（１０）、勝手口の所にロ−ル状になっているゴキブリ捕獲テ−プを夜光塗料（５）の方、剥離紙（４）を床側にして、ゴリブリ捕獲用粘着剤（１）をひらいて設置し、ゴキブリやアリを捕獲したら、捕獲した部分の下部にある切り込み（７）からミシン線（６）にそって切り、剥離紙（４）を捕獲したゴキブリの上に重ねてゴキブリ捕獲用粘着剤（１）とともにゴキブリを捕獲した部分を全部ミシン線（６）にそって切り取り簡単に処分することが出来る。また空いた部分に新しく一部分だけを補充すれば経済的に安く、又使用しない時には、折りたたんで巻き取れば再使用できます。
【図面の簡単な説明】
【０００７】
【図１】本発明の斜視図
【図２】本発明の分解斜視図
【図３】本発明の使用状態を示す斜視図
【図４】本発明の使用状態を示す説明図であり（イ）はゴキブリ駆除テ−プを流し台や冷蔵庫の床に貼る説明図（ロ）はゴキブリを捕獲した状態の説明図（ハ）は捕獲した部分の下部の剥離紙を切り込み、ミシン線にそって切り捕獲したゴキブリの上に重ねた状態の説明図（ニ）は捕獲した部分をミシン線にそって全部切り取った状態の説明図
【符号の説明】
【０００８】  １  ゴキブリ捕獲用粘着剤
２  台紙
３  連結紙
４  剥離紙
５  夜光塗料
６  ミシン線
７  切り込み
８  ゴキブリ駆除テ−プ
９  流し台
１０  冷蔵庫
【図１】
2008271932.tif 000003
【図２】
2008271932.tif 000004
【図３】
2008271932.tif 000005
【図４】
2008271932.tif 000006
(57)【要約】【課題】  受皿に置いた植木鉢に水遣りをし、受皿に溜まった水により植木鉢の底が、水に浸り植物が根ぐされる。それを防ぐための根ぐされ防止植木鉢を提供する。【解決手段】  天板の側面に、天板を支持する脚部を設け、植木鉢を載せるための載置台とし、天板の表面より裏面に貫通する複数の孔を設け、上面を開口した容器の内側に、載置台を着脱自在に置き、このとき、載置台の天板の高さは、容器の上面より上に位置するようにした、根ぐされ防止植木鉢。【選択図】図３
2008271938.tif 000002
【特許請求の範囲】
【請求項１】
天板の側面に、天板を支持する脚部を設け、植木鉢を載せるための載置台とし、天板の表面より裏面に貫通する複数の孔を設け、上面を開口した容器の内側に、載置台を着脱自在に置き、このとき、載置台の天板の高さは、容器の上面より上に位置するようにした、根ぐされ防止植木鉢。
【発明の詳細な説明】
【技術分野】
【０００１】  本発明は、受皿に置いた植木鉢に水遣りをし、受皿に溜まった水により植木鉢の底が、水に浸り植物が根ぐされる。それを防ぐための根ぐされ防止植木鉢に関するものである。
【背景技術】
【０００２】  従来、受皿に置かれた植木鉢に水遣りした時、遣り過ぎた水が溜まりあわてて水を捨てたり、気付かずに放置し植木鉢の植物を、根ぐされさせたものである。
又、受皿に水が溜まることを気にしすぎて、水を十分与えず植木鉢の植物を枯らしたものである。
【発明の開示】
【発明が解決しようとする課題】
【０００３】  そのために、次のような問題点があった。
（イ）受皿に溜まった水をすぐに取り除かなかったために、植木鉢の植物が根ぐされた。
（ロ）受皿に水が溜まることを気にするあまり、水が少なすぎて植物が枯れた。
本発明は以上の問題点を解決しようとするものである。
【課題を解決するための手段】
【０００４】  天板の側面に、天板を支持する脚部を設け、植木鉢を載せるための載置台とする。
天板の表面より裏面に貫通する複数の孔を設ける。上面を開口した容器の内側に、載置台を着脱自在に置く。このとき、載置台の天板の高さは容器上面より上に位置するようにする。以上を特徴とする根ぐされ防止鉢木植である。
【発明の効果】
【０００５】  本発明は、植木鉢への水遣り時、水を遣り過ぎても植木鉢の底が、水に浸されないので根ぐされの心配が無く、安心して十分に水遣りが出来る。又、受皿に溜まった水が蒸発して植木鉢の植物に湿りを与え育生にも良い環境となる。
【発明を実施するための最良の形態】
【０００６】  以下、本発明の実施形態を説明する。
（イ）円形又は方形の平板状からなる天板（２）の側面に、天板を支持する脚部（３）を設け、植木鉢を載せるための載置台（１）とする。
（ロ）天板（２）の表面より裏面に貫通する孔（４）を複数設ける。
（ハ）上面を開口した円形又は方形の容器（５）の開口部（６）内側に、載置台（１）を着脱自在に置く。このとき、載置台（１）の天板（２）の高さは容器（５）の上面より上に位置するようにする。
本発明は以上の構造によりなるので本発明を使用するときは、容器（５）の内側に置かれた載置台（１）の上に植物（８）を生けた植木鉢（７）を載せる。
植木鉢（７）に水遣りをすると、植木鉢（７）の底から抜け出た水は、天板（２）上に流れ、天板（２）の孔（４）を通過して下へ落ちる。そして、容器（５）の内側に溜まる。このとき、植木鉢（７）は載置台（１）の上に載っているために、容器（５）に溜まった水（９）に浸されることがない。
【図面の簡単な説明】
【０００７】
【図１】  本発明の斜視図
【図２】  本発明の断面図
【図３】  本発明の使用状態を示す断面図
【符号の説明】
【０００８】      １  載置台
２  天板
３  脚部
４  穴
５  容器
６  開口部
７  植木鉢
８  植物
９  溜まった水
【図１】
2008271938.tif 000003
【図２】
2008271938.tif 000004
【図３】
2008271938.tif 000005
(57)【要約】      （修正有）【課題】発泡酒における泡の質をより肌理こまやかにし、泡の硬さをより保持し、長時間にわたって泡が消えないようにすることにより、発泡酒の味わいを保持する。【解決手段】発泡酒製造過程における麦汁を煮沸する工程において、コラーゲンペプチドを麦汁に対して、コラーゲンペプチドを添加溶融させ、コラーゲンの保湿機能によりグラス・ジョッキに注いだ際、発泡酒の泡の質を肌理こまやかにさせ、泡もちのよい発泡酒を味わうことが可能となる。【選択図】なし【特許請求の範囲】
【請求項１】
ビール製造過程の麦汁を煮込む工程において、麦汁に対してコラーゲンペプチドを添加溶融させることにより、コラーゲンの持つ保湿特性による泡持ちの強化と、味わいの柔軟化および飲用効能を付加させた発泡酒の製造方法。
【発明の詳細な説明】
【技術分野】
【０００１】本発明は、コラーゲン添加による発泡酒の製造方法に関するものである。
【背景技術】
【０００２】現在、発泡酒は、醸造水に麦芽を入れた麦汁を煮沸し、それにホップを添加しさらに煮沸し、冷却後発酵、熟成させる工程で製造されている。【０００３】現在、上記の製造方法で作られている一般に普及している発泡酒は、嗜好品として多くの国民に愛飲されているが、グラス、ジョッキで飲用する際に本格的な味わいを保持するために必要な泡の質、硬さを満足させるものは少ない。
【発明の開示】
【発明が解決しようとする課題】
【０００４】解決しようとする課題は、発泡酒における泡の質をより肌理こまやかにし、泡の硬さを高め、長時間にわたって泡が消えないようにすることにより、発泡酒の味わいを保持することである。
【課題を解決するための手段】
【０００５】そこで、本発明はまず、ビール・発泡酒製造過程における麦汁を煮沸する工程において、麦汁にコラーゲンペプチドを添加する。【０００６】次に、麦汁とコラーゲンペプチドが十分混ざり合うように攪拌を続ける。【０００７】最後に、コラーゲンペプチド配合の発泡酒原酒麦汁をタンクに封入し、３０日〜４０日間熟成させる。【０００８】加工したコラーゲンペプチド配合の発泡酒原酒麦汁を保存・熟成する上には、低温、低振動で遮光された環境に保管することが望ましい。【０００９】なお、上記のコラーゲンペプチドの配合比率、熟成期間などの製造データは、各種試作コラーゲン発泡酒の試作品に対する、２０人の試飲官能検査を行った結果を集計し「好ましい」と判断し設定したものである。
【発明の効果】
【００１０】本発明により、コラーゲンの保湿機能によりグラス・ジョッキに注いだ際の発泡酒の泡の質が肌理こまやかとなり、硬度のある泡もちのよい発泡酒を味わうことが可能となる。【００１１】コラーゲンの調味特性により味わいに柔らかさが生まれ、より広い消費者の嗜好に合った飲料を提供することができる。【００１２】また、コラーゲンの持つ機能としての保湿成分、軟骨細胞成分の飲用による体内吸収により、美肌効果、膝痛予防効果も期待される。
【実施例】
【００１３】「コラーゲン発泡酒」の製造実施例フローを図１に示す。
【図面の簡単な説明】
【００１４】
【図１】  「コラーゲン発泡酒」の実施例製造フロー図
【図２】  「コラーゲン発泡酒」の試飲官能試験結果
【図１】
2008271942.tif 000002
【図２】
2008271942.tif 000003
2008271942.tif 000004
【手続補正書】
【提出日】平成19年8月1日(2007.8.1)
【手続補正２】
【補正対象書類名】図面
【補正対象項目名】全図
【補正方法】変更
【補正の内容】
【図１】
2008271942.tif 000005
【図２】
2008271942.tif 000006